(57)【要約】本発明は、液状または微細パウダー粒子の内容物を盛る容器に関するものであり、一定量の内容物を使用するために別途提供された容量測定コップまたは容器を使わなければならない従来の問題を改善しようとする。すなわち消費者の所望の一定量の内容物を、内部に一体型で構成された内部容器３０と容量目盛り３２を利用して定量測定可能にして消費者が便利に内容物の定量を測定して使用することができるブロー容器１０またはビニール容器１２などのような内容物を盛る容器を提供する。代表図は、図２（ブロー容器の場合）および図９（リフィル用ビニール容器の場合）である。索引語は次のようである：ブロー容器、内部容器、内部注入口、外部注入口、ビニール容器、外郭圧着部、注入口胴体、内部圧着部。【選択図】図２
2011521861.tif 000002
【特許請求の範囲】
【請求項１】
内容物を含んだ容器において、
使用者の所望の一定量の内容物を消費するように内部に定量測定が可能な別途の内部容器３０構造を構成したことを特徴とするすべての種類の容器であって、
ここで容器は、ブロー容器１０、ビニール容器１２など内容物を盛ることができるすべての種類の容器。
【請求項２】
定量測定が可能な内部容器３０に内容物を入れ込むことができるように内部注入口３１構造を構成したことを特徴とする請求項１に記載のすべての種類の容器。
【請求項３】
内容物の定量測定が可能になるように内部容器３０近辺に容量目盛り３２を表示して内容物の量が見えるように透明または半透明で処理して構成されたことを特徴とする請求項１に記載のすべての種類の容器であって、
ここで容量目盛り３２が、容器製作時に成形またはその後に内部容器３０の近辺に印刷した構造などすべての方法を含む容器。
【発明の詳細な説明】
【技術分野】
【０００１】
本発明は、内容物を盛る容器内で定量測定が可能な装着構造に関するものであり、詳しくは、別途提供された定量測定コップまたはさじを使わずに容器内で定量測定が可能な内部容器３０構造を構成した一体型定量測定容器１０、１２に関するものである。
【背景技術】
【０００２】
本発明は、定量測定が可能な一体型内部容器３０構造を装着した内容物を盛る容器に関するものである。
例えば、洗濯用液体洗剤や纎維柔軟剤または野菜、果物、食器などの洗浄用合成洗剤、シャンプーなどの流動性物質または纎維の洗濯用パウダー合成洗剤（通称して“内容物”と称する）の内容物を盛る容器に関するものである。従来には、洗濯時液体洗剤や纎維柔軟剤、パウダー洗剤のような液体または小さな粒子の物質を使用時、別途提供された定量測定コップまたはさじを使えばこそ使用者の所望の一定量の内容物を減らして使用するか、または定量測定なしに大まかな量の内容物を注いで使わなければならなかった。
このような別途の定量測定コップまたはさじなどを使用する不便さと測定なしに大まかな量の内容物を投入する不合理な点を改善して消費者の所望の一定量を使用することは、便利さと合理性を提供してくれる発明であると言える。
例えば、洗濯時に洗濯量によって水の量を調節して使って、これによってパウダーまたは液体洗剤と纎維柔軟剤を投入する場合、その洗濯量と水の量によって消費者の所望の量を使用する時、便利に一定量を投入することができる構造を構成した一体型定量測定容器１０、１２を提供する。
ここで容器とは、ブロー容器１０、リフィル用ビニール容器１２、その他紙、プラスチックなどを利用して内容物を盛ることができるすべての種類の容器を含む。
【発明の概要】
【発明が解決しようとする課題】
【０００３】
本発明は、消費者が別途提供された定量測定コップまたはさじを使用する不便さと測定なしに大まかな量の内容物を投入する不合理な点を改善することにある。例えば、纎維柔軟剤を使用する場合どのようにブロー容器１０内に定量測定可能な一体型内部容器３０を作って使用者（消費者）に便利さを提供するかにある。
また、他の一つの技術的課題は、どのように製造原価を追加しないで定量を測定して使用が可能になるように一体型定量測定容器１０、１２を提供するかにある。
【課題を解決するための手段】
【０００４】
内容物を盛った容器において、内容物の定量測定が可能になるように容器わく外郭まわりに形成された外部注入口２１と連結された一体型内部容器３０を利用して定量測定が可能な耐久空間を構成する。この時、定量測定が可能になるように容器内の内部容器３０部位に容量目盛り３２を刻んで正確な量を測定できるようにする。この時、容量目盛り３２は容器成形時に刻印や成形後印刷などの方法があるが、大事なことは量を測定することができる度盛りと寸法の表示であると言える。
【発明の効果】
【０００５】
本発明の効果としては、大きく内容物の定量測定使用の方法と便利性、そして製品原価を節減してさらに延いては、過度な使用による水質の環境汚染を防止することにある。
一つの実例で、洗濯時に液体洗剤や纎維柔軟剤またはパウダー洗剤の使用は、洗濯量と水の量によって内容物の一定量を使用するように銘記されていて、別途提供されたコップまたはさじを利用して使用する。しかし、本発明を通じて内容物を盛った容器１０、１２などと一体型で構成された内部容器３０を利用すれば定量測定用コップまたはさじなどを使わないで便利に所望の量を測定して使用することができる。したがって、定量測定が難しく見当をつけて十分に注いで使用する無駄使いを避けられ、効率的かつ実用的でありながら便利な消費ができる効果がある。また、別途の定量測定用コップまたはさじなどが必要ではなく、製品原価を節減することができることが本発明の有利な効果であると言える。
【図面の簡単な説明】
【０００６】
【図１】従来のプラスチック液状注入口を具備した一般的なブロー容器１０である。
【図２】本発明の実施例による内容物の定量測定可能な内部容器３０を構成した、内部容器３０がカンチレバー（ｃａｎｔｉｌｅｖｅｒ、片持ち梁）のように一側だけが支持されているブロー容器である。
【図３】本発明のまた他の実施例による内容物の定量測定可能な内部容器３０両端が連結されて支持される構造を構成している。
【図４】本発明のまた他の実施例による内容物の定量測定可能な内部容器３０底に内部容器底材３４を使って内容物が盛られる構造を構成している。
【図５】図２のまた他の実施例による内容物の定量測定可能な内部容器３０を構成したブロー容器１０に外部注入口２１が２個形成された構造をしている例を見せている。
【図６】単純に従来のプラスチック外部注入口２１のみを具備した一般的なリフィル用ビニール容器１２を示す。
【図７】内容物を盛ることができるビニール容器１２で内部容器３０に内容物の定量測定が可能なリフィル用ビニール容器１２の１つの実施例であると言えるであろう。
【図８】本発明のまた他の実施例による内容物の定量測定が可能なビニール容器の内部容器３０を圧着形成時に圧着支持台４２が注入口胴体２１と一体型で構成されたリフィル用ビニール容器１２である。
【図９】図８のまた他の発明の例で、注入口胴体２１と一体型である圧着支持台４２がビニール容器１２の間に共に融着されて内容物の定量測定が可能な内部容器３０の空間を確保してくれることで、実際に適用するのに適切なリフィル用ビニール容器１２の具現方法である。
【図１０】ビニール容器１２の内部融着に関係なく、内容物の定量測定が可能な内部容器３０が外部注入口２１と一体型に成形された射出製品に作業されたリフィル用ビニール容器１２の一つの具現方法である。
【発明を実施するための形態】
【０００７】
図４は、本発明のまた他の実施例による内容物の定量測定可能な内部容器３０底に内部容器底材３４を使って内容物が盛られる構造を構成している。この時、内部容器底材３４は、ブロー容器一体型または別途の部品を使用することもできる。したがって、内部容器底材３４の構造がどうなっているかは重要ではなくて、内容物を盛ることができる内部容器３０を構成することに目的がある。
図８は、本発明のまた他の実施例による内容物の定量測定が可能なビニール容器の内部容器３０を圧着形成時に圧着支持台４２が注入口胴体２１と一体型で構成されたリフィル用ビニール容器１２である。圧着支持台４２が注入口胴体２１と一体型で構成されたことは重要ではないが、内部容器３０の空間を作るための融着時に効率的な作業と材料費節減のために一体型を使用することが望ましいと言える。
図９は、図８のまた他の発明の例で、注入口胴体２１と一体型である圧着支持台４２がビニール容器１２の間に共に融着されて内容物の定量測定が可能な内部容器３０の空間を確保してくれることで、実際に適用するのに適切なリフィル用ビニール容器１２の具現方法である。
図１０は、ビニール容器１２の内部融着に関係なく、内容物の定量測定が可能な内部容器３０が外部注入口２１と一体型に成形された射出製品に作業されたリフィル用ビニール容器１２の一つの具現方法である。
このような適用方法は、添付された図面の適用例に限らない。すなわち、容器の形状と材質にかかわらず内容物の定量を測定することができる内部容器３０構造と容量目盛り２２を一体型で構成しているすべての内容物を含んだ容器に該当するということができる。
内容物を盛ったブロー容器１０において、
内容物の定量測定が可能になるようにわく外郭まわりに形成された外部注入口２１と連結された一体型内部容器３０を利用して、定量測定が可能な耐久空間を構成する。この時、定量測定が可能になるようにブロー容器内の内部容器３０部位に度盛り及び数値３２を刻んで正確な量を測定するようにする。最善の形態は、図２と図３であるということができる。
また一つの同一な例で、
内容物を盛ったリフィル用ビニール容器１２において最善の形態は、内部容器３０の空間を確保するのに有利な方法が図９であると言える。
図９は、図８と類似であるが、内部容器３０の空間を形成して、内部圧着部４１を圧搾するのに役に立つ圧着用支持台４２をプラスチック注入口胴体２１に一体型で構成した構造である。内部容器３０の空間を構成するために注入口胴体２１に連結された圧着用支持台４２は、内部圧着部４１の圧着作業時にビニールの中間に位置して圧搾する基準になるだけでなく、内部容器３０の空間を形成するようにして、一定量の内容物を盛ることができる役割をする。この時、内容物を盛る内部容器３０の役割は、内部圧着部４１によって構成されて圧着用支持台４２は単純に空間を形成するのに役に立つ役割をする。
その他、本発明の実施のための最善の形態は、本発明を製品化して適用する方法によって改善することができる。
（発明の実施のための形態）
添付された図面を参照して本発明の望ましい実施例を、ブロー容器１０と、リフィル用ビニール容器１２の例を挙げて説明することにする。
先ず、ブロー容器１０の場合を、例を挙げて説明すれば、
図１は、従来の内容物を盛ったプラスチック外部注入口２１を構成した一般に使われるブロー容器の実際適用例である。
図２は、本発明の一つの例でブロー容器１０に内容物の定量測定が可能になるように一体型に成形された内部容器３０に内容物が盛られることができる空間を構成する。
この時、内部容器３０に内容物が注入されて満ちるように内部注入口３１が構成されるように注入口を形成して成形されなければならない。このように構成された内容物の定量測定が可能なブロー容器は、消費者が内容物を動かして内部容器３０に願う容量を盛った後ふたを開いて外部注入口２１の注入口を通じて願う所に注いで使用することができる。
このような使用例は、液状形態だけではなく、洗濯用パウダー洗剤のような小さな粒子の粒も内部容器３０に盛って願う容量を測定して使用することができる。そして、定量測定が可能になるように内部容器３０部分のブロー容器には容量目盛り３２を刻んで入れなければならない。容量目盛りは基本的にブロー容器成形時に刻んで入れることが材料費の節減に有利であるが、別に内部容器３０部位に印刷する方法で具現しても良い。この時、内容物の量を確認できるようにブロー容器１０の容量目盛り部位は、内容物が見えて一定量を測定できるように透明または半透明で処理しなければならない。
内容物を流出させる外部注入口２１のふた方式は、完全開く構造よりはワンタッチ方式を利用して内容物を流出させることが有利であろう。しかし、ふたのオープン及び内容物の流出方式は市中に出ているプッシュ方式、レバ回転方式などどのような一定な方式に限定されなくて、便利な方式を適用すれば良い。
次は、リフィル用ビニール容器１２の望ましい実施例を添付された図面を参照して説明する。
図６は、従来の内容物を盛るプラスチック注入口胴体２１を外郭圧着部４０で圧搾して構成することで一般的に使われるビニール容器１２の実際適用例である。
図７は、プラスチック注入口胴体２１を具備したビニール容器１２に内容物の定量測定が可能になるようにわく外郭まわりに形成された外郭圧着部４０と連結された内部圧着部４１を圧搾して内部容器３０を形成して内容物が盛られることができる空間を構成する。
この時、内部容器３０に内容物が注入されて満ちるように内部注入口３１が構成されるように圧着されなければならない。このように構成された内容物の定量測定が可能なビニール容器１２は、消費者が内容物を動かして内部容器３０に願う容量を盛った後、ふたを開いてビニール容器注入口胴体２１の注入口を通じて願う所に注いで使用することができる。このような使用例は、液状形態に限らないし洗濯用パウダー洗剤のような小さな粒子の粒も内部容器３０に盛って願う容量を測定して使用することができる。そして、容量測定が可能になるように内部容器３０には度盛り及び数値３２を刻んで入れなければならないし、内容物の量を確認できるように度盛り及び数値部位は透明で処理することは、ブロー容器１０と同一であると言える。  
【産業上の利用可能性】
【０００８】
以上説明したように、本発明の利用可能性は、大きく内容物の定量測定使用の方法と便利性、そして、製品原価を節減することにある。また、洗剤や纎維柔軟剤など内容物の過度な使用による無駄使いを阻んで水質環境を保護する意味もあると言える。
例えば、洗濯時に液状またはパウダー洗剤の使用は、洗濯量と水の量によって使用量を違うようにする。したがって、既存には製品と共に別途提供された定量測定用コップまたはさじなどを使用すると定量使用が可能であった。しかし、本発明を通じて容器１０、１２と一体型で構成された内部容器３０を利用すれば定量測定用コップまたはさじなどを使わないで便利に願う量程度を測定して使用することができるし、また別途の定量測定用コップまたはさじなどが必要ではなくて製品原価を節減することもできる。
【符号の説明】
【０００９】
１０  ブロー容器
１１  容器取っ手
１２  ビニール容器
２１  外部注入口
２２  ふた用ねじ部
２３  注入口胴体
３０  内部容器
３１  内部注入口
３２  容量目盛り
３３  内部容器底
３４  内部容器底材
３５  内部圧着部
４０  外郭圧着部
４１  内部圧着部
４２  圧着用支持台
【図１】
2011521861.tif 000003
【図２】
2011521861.tif 000004
【図３】
2011521861.tif 000005
【図４】
2011521861.tif 000006
【図５】
2011521861.tif 000007
【図６】
2011521861.tif 000008
【図７】
2011521861.tif 000009
【図８】
2011521861.tif 000010
【図９】
2011521861.tif 000011
【図１０】
2011521861.tif 000012
【手続補正書】
【提出日】平成23年1月27日(2011.1.27)
【手続補正１】
【補正対象書類名】明細書
【補正対象項目名】全文
【補正方法】変更
【補正の内容】
【発明の詳細な説明】
【技術分野】
【０００１】
本発明は、内容物を盛る容器内に定量測定が可能な装着構造に関するものであり、詳しくは、別に提供された定量測定コップまたはさじを使わないで容器内に定量測定が可能な内部容器３０構造を構成した一体型定量測定容器１０、１２に関するものである。
【背景技術】
【０００２】
本発明は、定量測定が可能な一体型内部容器３０構造を装着した内容物を盛る容器に関するものである。
例えば、洗濯用液体洗剤や纎維柔軟剤または野菜、果物、食器などの洗浄用合成洗剤、シャンプーなどの流動性物質または纎維の洗濯用パウダー合成洗剤(通称して“内容物”と称する)の内容物を盛る容器に関するものである。従来には、洗濯時液体洗剤や纎維柔軟剤、パウダー洗剤のような液体または小さな粒子の物質を使用時別に提供された定量測定コップまたはさじを使えばこそ使用者が願う一定量の内容物を減らして使用するか、または定量測定なしに大まかな内容物を注いで使わなければならなかった。
このような別途の定量測定コップまたはさじなどを使用する不便さと測定なしに大まかな内容物を投入する不合理な点を改善して消費者が願う一定量を使用するように便利さと合理性を提供してくれる発明であると言える。
例えば、洗濯時洗濯量によって水の量を調節して使って、これによってパウダーまたは液体洗剤と纎維柔軟剤を投入する場合その洗濯量と水の量によって消費者が願う量を使用する時便利に一定量を投入することができる構造を構成した一体型定量測定容器１０、１２を提供する。
ここで容器とは、ブロー容器１０、リフィル用ビニール容器１２、その他紙、プラスチックなどを利用して内容物を盛ることができるすべての種類の容器を含む。
【発明の概要】
【発明が解決しようとする課題】
【０００３】
本発明は、消費者が別に提供された定量測定コップまたはさじを使用する不便さと測定なしに大略的な内容物を投入する不合理な点を改善することにある。例えば、纎維柔軟剤を使用する場合どのようにブロー容器１０内に定量測定可能な一体型内部容器３０を作って使用者(消費者)に便利さを提供するかにある。
また、他の一つの技術的課題は、どのように製造原価を追加しないで定量を測定して使用が可能になるように一体型定量測定容器１０、１２を提供するかにある。
【課題を解決するための手段】
【０００４】
内容物を盛った容器において、内容物の定量測定が可能になるように容器わく外郭まわりに形成された外部注入口２１と連結された一体型内部容器３０を利用して定量測定が可能な耐久空間を構成する。この時、定量測定が可能になるように容器内の内部容器３０部位に度盛り及び寸法３２を刻んで正確な量を測定できるようにする。この時、度盛り及び寸法３２は容器成形時に刻印や成形後印刷などの方法があるが、大事なことは量を測定することができる度盛りと寸法の表示であると言える。
【発明の効果】
【０００５】
本発明の効果としては、大きく内容物の定量測定使用の方法と便利性、そして製品原価を節減してさらに延いては、過度な使用による水質の環境汚染を防止することにある。
一つの実例で、洗濯時に液体洗剤や纎維柔軟剤またはパウダー洗剤の使用は、洗濯量と水の量によって内容物の一定量を使用するように銘記されていて、別に提供されたコップまたはさじを利用して使用する。しかし、本発明を通じて内容物を盛った容器１０、１２などと一体型で構成された内部容器３０を利用すれば定量測定用コップまたはさじなどを使わないで便利に願う量程度測定して使用することができる。したがって、定量測定が難しくて見当をつけて十分に注いで使用する無駄使いを阻むことができて、効率的で実用的でありながら便利な消費ができる効果がある。また、別途の定量測定用コップまたはさじなどが必要ではなくて、製品原価を節減することができることが本発明の有利な効果であると言える。
【図面の簡単な説明】
【０００６】
【図１】従来のプラスチック液状注入口を具備した一般的なブロー容器１０である。
【図２】本発明の実施例による内容物の定量測定可能な内部容器３０を構成した、内部容器３０がカンチレバー(cantilever、片持ち梁)のように一側だけが支持されているブロー容器である。
【図３】本発明のまた他の実施例による内容物の定量測定可能な内部容器３０両端が連結されて支持される構造を構成している。
【図４】本発明のまた他の実施例による内容物の定量測定可能な内部容器３０底に内部容器底材３４を使って内容物が盛られる構造を構成している。
【図５】図２のまた他の実施例による内容物の定量測定可能な内部容器３０を構成したブロー容器１０に外部注入口２１が２個形成された構造をしている例を見せている。
【図６】単純に従来のプラスチック外部注入口２１のみを具備した一般的なリフィル用ビニール容器１２を示す。
【図７】内容物を盛ることができるビニール容器１２で内部容器３０に内容物の定量測定が可能なリフィル用ビニール容器１２の一つの実施例であると言えるであろう。しかし、内容物を盛ることができる空間の確保が少なくて内部容器３０の容量が小さな点があって、製品化に難しさがあり得る。
【図８】本発明のまた他の実施例による内容物の定量測定が可能なビニール容器の内部容器３０を圧着形成時に圧着支持台４２が注入口胴体２１と一体型で構成されたリフィル用ビニール容器１２である。
【図９】図８のまた他の発明の例で、注入口胴体２１と一体型である圧着支持台４２がビニール容器１２の間に共に融着されて内容物の定量測定が可能な内部容器３０の空間を確保してくれることで、実際に適用するのに適切なリフィル用ビニール容器１２の具現方法である。
【図１０】ビニール容器１２の内部融着に関係なく、内容物の定量測定が可能な内部容器３０が外部注入口２１と一体型に成形された射出製品に作業されたリフィル用ビニール容器１２の一つの具現方法である。このような適用方法は、添付された図面の適用例に限らない。すなわち、容器の形状と材質にかかわらず内容物の定量を測定することができる内部容器３０構造と度盛り及び寸法２２を一体型で構成しているすべての内容物を含んだ容器に該当するということができる。
【発明を実施するための形態】
【０００７】
図４は、本発明のまた他の実施例による内容物の定量測定可能な内部容器３０底に内部容器底材３４を使って内容物が盛られる構造を構成している。この時、内部容器底材３４は、ブロー容器一体型または別途の部品を使用することもできる。したがって、内部容器底材３４の構造がどうなっているかは重要ではなくて、内容物を盛ることができる内部容器３０を構成することに目的がある。
図８は、本発明のまた他の実施例による内容物の定量測定が可能なビニール容器の内部容器３０を圧着形成時に圧着支持台４２が注入口胴体２１と一体型で構成されたリフィル用ビニール容器１２である。圧着支持台４２が注入口胴体２１と一体型で構成されたことは重要ではないが、内部容器３０の空間を作るための融着時に効率的な作業と材料費節減のために一体型を使用することが望ましいと言える。
図９は、図８のまた他の発明の例で、注入口胴体２１と一体型である圧着支持台４２がビニール容器１２の間に共に融着されて内容物の定量測定が可能な内部容器３０の空間を確保してくれることで、実際に適用するのに適切なリフィル用ビニール容器１２の具現方法である。
図１０は、ビニール容器１２の内部融着に関係なく、内容物の定量測定が可能な内部容器３０が外部注入口２１と一体型に成形された射出製品に作業されたリフィル用ビニール容器１２の一つの具現方法である。
このような適用方法は、添付された図面の適用例に限らない。すなわち、容器の形状と材質にかかわらず内容物の定量を測定することができる内部容器３０構造と度盛り及び寸法２２を一体型で構成しているすべての内容物を含んだ容器に該当するということができる。
内容物を盛ったブロー容器１０において、
内容物の定量測定が可能になるようにわく外郭まわりに形成された外部注入口２１と連結された一体型内部容器３０を利用して、定量測定が可能な耐久空間を構成する。この時、定量測定が可能になるようにブロー容器内の内部容器３０部位に度盛り及び数値３２を刻んで正確な量を測定するようにする。最善の形態は、図２と図３であるということができる。
また一つの同一な例で、内容物を盛ったリフィル用ビニール容器１２において最善の形態は、内部容器３０の空間を確保するのに有利な方法が図９であると言える。
図９は、図８と類似であるが、内部容器３０の空間を形成して、内部圧着部４１を圧搾するのに役に立つ圧着用支持台４２をプラスチック注入口胴体２１に一体型で構成した構造である。内部容器３０の空間を構成するために注入口胴体２１に連結された圧着用支持台４２は、内部圧着部４１の圧着作業時にビニールの中間に位置して圧搾する基準になるだけでなく、内部容器３０の空間を形成するようにして、一定量の内容物を盛ることができる役割をする。この時、内容物を盛る内部容器３０の役割は、内部圧着部４１によって構成されて圧着用支持台４２は単純に空間を形成するのに役に立つ役割をする。
その他、本発明の実施のための最善の形態は、本発明を製品化して適用する方法によって改善することができる。
添付された図面を参照して本発明の望ましい実施例を、ブロー容器１０と、リフィル用ビニール容器１２の例を挙げて説明することにする。
先ず、ブロー容器１０の場合を、例を挙げて説明すれば、
図１は、従来の内容物を盛ったプラスチック外部注入口２１を構成した一般に使われるブロー容器の実際適用例である。
図２は、本発明の一つの例でブロー容器１０に内容物の定量測定が可能になるように一体型に成形された内部容器３０に内容物が盛られることができる空間を構成する。
この時、内部容器３０に内容物が注入されて満ちるように内部注入口３１が構成されるように注入口を形成して成形されなければならない。このように構成された内容物の定量測定が可能なブロー容器は、消費者が内容物を動かして内部容器３０に願う容量を盛った後ふたを開いて外部注入口２１の注入口を通じて願う所に注いで使用することができる。
このような使用例は、液状形態だけではなく、洗濯用パウダー洗剤のような小さな粒子の粒も内部容器３０に盛って願う容量を測定して使用することができる。そして、定量測定が可能になるように内部容器３０部分のブロー容器には度盛り及び寸法３２を刻んで入れなければならない。度盛り及び寸法は基本的にブロー容器成形時に刻んで入れることが材料費の節減に有利であるが、別に内部容器３０部位に印刷する方法で具現しても良い。この時、内容物の量を確認できるようにブロー容器１０の度盛り及び寸法部位は、内容物が見えて一定量を測定できるように透明または半透明で処理しなければならない。
図１から図５及び図１０は、容器の外部注入口２１が内容物を盛った内部容器３０の底端に位置していて、容器１０、１２の蓋を開けると内容物がすぐに排出される構造になっている。従って、内容物を流出させる外部注入口２１のふた方式は、完全開く構造よりはワンタッチ方式を利用して内容物を流出させることが有利であろう。しかし、ふたのオープン及び内容物の流出方式は市中に出ているプッシュ方式、レバ回転方式などどのような一定な方式に限定されなくて、便利な方式を適用すれば良い。
より詳しく説明すれば、内部容器３０に内容物が計量されるように内部注入口３１が注入口を形成して成形されなければならない。また、ブロー容器１０特性上一体型で構成された内部容器３０を成形するためには内側で内部容器３０成形のための一定な区間の空間である内部容器成形通孔３５を取り揃えていなければならない。したがって、成形通孔３５は成形のための空き空間であることもできて、構造を補強するための薄いリブ(Rib)で満たされて構成されることもできる。
このように成形された内部容器３０に盛られた定量測定された内容物は、ブロー容器１０内に内容物を注入する外部注入口２１と同一な入口を通じて排出される構造を構成している。
図３は、図２と類似であるが、外部注入口２１に一体型で連結された内部容器３０の支持が両端支持梁の構造で構成された本発明のまた他の例である。
両端支持梁構造の内部容器３０を構成したことは、ブロー容器１０成形時にカンチレバーの構造は内部容器３０の首部位である内部注入口３１部位の変形で撓みが発生されて、製品化が難しくて生産性も落ちることがある。
このような短所を防止して、より生産性を高めるために内部容器３０一端の外部注入口２１部位を内部容器底３３で補強させてくれることで、ブロー容器１０成形時、流通過程そして消費者が製品を使用時に発生することができる撓みなどの変形を防止することができる。
図４は、本発明のまた他の実施例による内容物の定量測定可能な内部容器３０底に内部容器底材３４を使用して内容物が盛られる構造を構成している。この時、内部容器底材３４は、ブロー容器１０一体型、または別途の部品を使用することもでき、内部容器底材３４の構造は内容物を盛ることができる内部容器３０を構成することにある。
図５は、図２のまた他の実施例による内容物の定量測定可能な内部容器３０を構成したブロー容器１０に外部注入口２１が２個形成された構造をしている例を見せてくれている。
このような適用例は、添付された図面の例に限らない。すなわち、ブロー容器１０の形状と構造にかかわらず内容物の定量を測定することができる内部容器３０を一体型で構成しているすべてのブロー容器１０に該当するということができる。
次は、リフィル用ビニール容器１２の望ましい実施例を添付された図面を参照して説明する。
図６は、従来の内容物を盛るプラスチック注入口胴体２１を外郭圧着部４０で圧搾して構成することで一般的に使われるビニール容器１２の実際適用例である。
図７は、プラスチック注入口胴体２１を具備したビニール容器１２に内容物の定量測定が可能になるようにわく外郭まわりに形成された外郭圧着部４０と連結された内部圧着部４１を圧搾して内部容器３０を形成して内容物が盛られることができる空間を構成する。しかし、内部容器３０の空間が狭小でビニール容器の変形によって内容物の量が一定でない短所で製品化が難しい。
この時、内部容器３０に内容物が注入されて満ちるように内部注入口３１が構成されるように圧着されなければならない。このように構成された内容物の定量測定が可能なビニール容器１２は、消費者が内容物を動かして内部容器３０に願う容量を盛った後ふたを開いてビニール容器注入口胴体２１の注入口を通じて願う所に注いで使用することができる。このような使用例は、液状形態に限らないし洗濯用パウダー洗剤のような小さな粒子の粒も内部容器３０に盛って願う容量を測定して使用することができる。そして、容量測定が可能になるように内部容器３０には度盛り及び数値３２を刻んで入れなければならないし、内容物の量を確認できるように度盛り及び数値部位は透明で処理することは、ブロー容器１０と同一であると言える。 
より詳細に説明すれば、内部容器３０に内容物が注入されて満ちるように内部注入口３３が構成されるように圧着されなければならない。このように構成された内容物の定量測定が可能なビニール容器は、消費者が内容物を動かして内部容器３０に願う容量を盛った後蓋を開いてビニール容器注入口の胴体２１の注入口を通じて願う所に注いで使用することができる。このような使用例は、液状形態に限らないし、洗濯用パウダー洗剤のような小さな粒子の粒子も内部容器３０に盛って願う容量を測定して使用することができる。この時、容量測定が可能になるように内部容器３０には度盛り及び数値３２を刻んで入れなければならない。また、内容物の量を確認できるように度盛り及び数値部位は透明で処理しなければならない。
図８は、図７と類似であるが、内部容器３０の空間を形成して、内部圧着部３１を圧搾するのに役に立つ圧着用支持台３４をプラスチック注入口の胴体２１に一体型で構成された本発明の実施例である。
内部容器３０の空間を構成するために注入口胴体２１に連結された圧着用支持台３４は、内部圧着部３１を圧搾する基準になるだけでなく、内部容器３０の空間を形成するようにして内容物を一定に盛ることができる役割をする。この時、内容物を盛る内部容器３０の役割は、内部圧着部３１によって構成されて圧着用支持台３４は空間を形成するのに役に立つ役割をする。
すなわち、内容物の量と外部の力によって変形されやすいビニール容器１２の特性上内部容器３０に注入される内容物の量が常時一定でないであろう。したがって、圧着用支持台３４はビニール容器１２の特性である変形を阻んで内部容器３０の空間を一定に形成して、常時一定量の内容物を盛ることができるように役割をする。
図９のように圧着用支持台３４は、常時一定な位置に固定されるように取ってくれなければならないので、外部に露出した注入口胴体２１に一体型で構成されて、一律的な作業のための基準になるので、内部圧着部３１と共に並んで圧着される構造が望ましい実施例である言える。
図９、図１０のように内部容器３０に盛った一定量の内容物を排出する注入口胴体２１の位置は、内部容器３０の上端または下端など内容物を排出するキャップ方式によって位置することができる。
上のような目的で圧着用支持台３４を利用した実施例は、これに限らないし、発明が属する技術分野で通常の知識を持った者が容易に発明することができるすべての実施例を含む。
【産業上の利用可能性】
【０００８】
以上説明したように、本発明の利用可能性は、大きく内容物の定量測定使用の方法と便利性、そして、製品原価を節減することにある。また、洗剤や纎維柔軟剤など内容物の過度な使用による無駄使いを阻んで水質環境を保護する意味もあると言える。
例えば、洗濯時に液状またはパウダー洗剤の使用は、洗濯量と水の量によって使用量を違うようにする。したがって、既存には製品と共に別に提供された定量測定用コップまたはさじなどを使用すると定量使用が可能であった。しかし、本発明を通じて容器１０、１２と一体型で構成された内部容器３０を利用すれば定量測定用コップまたはさじなどを使わないで便利に願う量程度を測定して使用することができるし、また別途の定量測定用コップまたはさじなどが必要ではなくて製品原価を節減することもできる。
【符号の説明】
【０００９】
１０  ブロー容器
１１  容器取っ手
１２  ビニール容器
２１  外部注入口
２２  ふた用ねじ部
２３  注入口胴体
３０  内部容器
３１  内部注入口
３２  度盛り及び寸法
３３  内部容器底
３４  内部容器底材
３５  成形通孔
４０  外郭圧着部
４１  内部圧着部
４２  圧着用支持台
【手続補正２】
【補正対象書類名】特許請求の範囲
【補正対象項目名】全文
【補正方法】変更
【補正の内容】
【特許請求の範囲】
【請求項１】
内容物を含んだブロー容器１０において、
使用者が願う一定量の内容物を消費するように定量測定が可能な内部容器３０空間を構成して、ブロー容器１０の外部注入口２１内側一端に一体型に連通される内部容器３０構造；
内部容器３０に定量測定された内容物の排出時に別途の排出口を具備しないで、内部容器３０と連通された外部注入口２１を同一に排出口で使用する内部容器３０構造；
ブロー容器１０成形特性上内部容器３０空間が成形されることができるように内側で内部容器成形通孔３５を具備した内部容器３０構造、
を構成したことを特徴とするブロー容器１０。
【請求項２】
ブロー容器１０に内容物を注入時に内部真空、バブル発生などを予防するために内部容器３０の内容物を使用時に排出する用途の外部注入口２１と別個で加えられたまた一つの外部注入口２１で二つの外部注入口２１を具備した構造；
内部容器３０に連通された外部注入口２１で内容物の排出時に容易であるようにねじ用蓋を装着することができる蓋用ねじ部２２を形成した外部注入口２１を具備した構造、
を構成したことを特徴とする、請求項１に記載のブロー容器１０。
【請求項３】
ブロー容器１０成形時に内容物の定量測定が可能になるようにブロー容器１０表面の内部容器３０内に度盛りと寸法３２を刻印または印刷をして、定量測定された内容物の量が見えるように透明または半透明に成形された、請求項１に記載のブロー容器１０。
【請求項４】
消費者が願う一定量の内容物を使用するように内部に定量測定が可能な別途の内部容器３０構造を構成したビニール容器１２において、
内部容器３０に注入される内容物の量がビニール容器１２の変形によって変わらないで常時一定に盛られるように内部容器３０に一定な幅の空間を形成する圧着用支持台３４構造；
内部容器３０形成時に内部圧着部３１を圧搾するのに基準になるように共に並んで圧着されて構成される圧着用支持台３４を具備した内部容器３０構造を特徴とするビニール容器１２。
【請求項５】
内部容器３０を形成する内部圧着部３１の圧着時に基準になる圧着用支持台３４が常に一定な場所に位置して固定されるように圧着作業時に外部で取ってくれることができる露出された注入口胴体２１を具備して；
ビニール容器１２内側の注入口胴体２１の一端に一体型で連結された圧着用支持台３４を具備した内部容器３０構造を特徴とする、請求項４に記載のビニール容器１２。
【請求項６】
ビニール容器印刷時に内容物の定量測定が可能になるように内部容器３０内のビニール容器１２表面に度盛りと寸法３２を印刷して、この時、内容物の量が見えるように一部分が透明または半透明で構成された、請求項４に記載のビニール容器１２。
【手続補正３】
【補正対象書類名】図面
【補正対象項目名】図２
【補正方法】変更
【補正の内容】
【図２】
2011521861.tif 000013
【手続補正４】
【補正対象書類名】図面
【補正対象項目名】図３
【補正方法】変更
【補正の内容】
【図３】
2011521861.tif 000014
【手続補正５】
【補正対象書類名】図面
【補正対象項目名】図４
【補正方法】変更
【補正の内容】
【図４】
2011521861.tif 000015
【手続補正６】
【補正対象書類名】図面
【補正対象項目名】図５
【補正方法】変更
【補正の内容】
【図５】
2011521861.tif 000016
【国際調査報告】
2011521861.tif 000017
2011521861.tif 000018
2011521861.tif 000019
2011521861.tif 000020